(57)【要約】 【課題】 道床のバラストを交換するとき、ＰＣ枕木を移動するのに多大な作業員が、多くの時間を要し、作業効率が悪かった。【解決手段】ＰＣ枕木を吊り下げる手段と、ＰＣ枕木をレールに吊り下げた状態でレール上を移動される手段を有すことを特徴とするＰＣ枕木の移動台車で、レール脚面１０２上を移動される手段は、レール側面１０１に当接するガード・ローラー３と、レールの脚面１０２に当接する主ローラー５からなり、これらのローラーをレールに当接してレール脚面１０２上を移動させるＰＣ枕木の移動台車。【選択図】図１
2012036598.tif 000002
【特許請求の範囲】
【請求項１】
レールの軌道の枕木に間に敷かれるバラストを新しいバラストに交換する道床交換においてＰＣ枕木を移動させるためのＰＣ枕木の移動台車であって、ＰＣ枕木の移動台車１は中央筐体６３と左側板６１、右側板６２を備えた略直方体の箱型の中央本体６を有し、左側板６１と右側板６２に、左側板６１と右側板６２とＰＣ枕木のアンカーの穴１４１を貫通させてボルト９を通すためのピン穴８を設け、そのピン穴８を用いてＰＣ枕木を吊り下げて固定するためのＰＣ枕木接続手段と、レール脚面１０２に当接させ、レール脚面１０２上を転がって移動させるローラーを備えた移動手段を備え、ＰＣ枕木１１を移動させるときは、左レール１０Ａと右レール１０Ｂを夫々固定しているＰＣ枕木のアンカー１４の線バネ１２を外し、かわりに、左レール１０Ａと右レール１０Ｂに、夫々ＰＣ枕木の移動台車１Ａと右レールのＰＣ枕木の移動台車１Ｂを設置し、ＰＣ枕木の移動台車１ＡとＰＣ枕木の移動台車１ＢのＰＣ枕木接続手段は、ＰＣ枕木を吊り下げて固定し、ＰＣ枕木の移動台車１ＡとＰＣ枕木の移動台車１ＢはレールＡとレールＢをはさみ、ＰＣ枕木の移動台車１Ａ、ＰＣ枕木の移動台車１Ｂがレールから外れないようにし、ＰＣ枕木の移動台車１ＡとＰＣ枕木の移動台車１Ｂの移動手段は、夫々左レール１０Ａと右レール１０Ｂのレール脚面１０２上を転がすことでＰＣ枕木を移動させ、ＰＣ枕木を配置した後、ＰＣ枕木の移動台車１からＰＣ枕木の吊り下げ固定を解除することでＰＣ枕木を移動させることを特徴とするＰＣ枕木の移動台車。
【請求項２】
ＰＣ枕木接続手段は、ＰＣ枕木１１のアンカーの穴１４１とＰＣ枕木の移動台車１のピン穴8にボルト９を貫通させ、ナット９１で締め付けて固定することで、ＰＣ枕木を吊り下げられるようにしたことを特徴とする請求項１記載のＰＣ枕木の移動台車。
【請求項３】
移動手段は、レール側面１０１に当接させ、レール側面１０１に沿って転がる一つ以上のガード・ローラー３と、レールの脚面１０２に上方から当接させ、レールの脚面１０２上を転がしながら移動する一つ以上の主ローラー５を備え、ガード・ローラー３をレール側面に当接させながら、主ローラー５はレール脚面１０２上を転がして移動しえるようにしたことを特徴とする請求項１又は請求項２に記載のＰＣ枕木の移動台車。
【請求項４】
ＰＣ枕木の移動台車１は、中央筐体６３と左側板６１、右側板６２を備えた略直方体の箱型の中央本体６を有し、レール脚面１０２上を移動する移動手段と、ＰＣ枕木を接続するためのＰＣ枕木接続手段を設け、移動手段は、中央本体６の左側板６１にガード・ローラーカバー２１を備え、その中に、左ローラー軸３１１を設け、レール側面１０１に当接しレール側面を転がる左ガード・ローラー３１を取り付け、右側板６２にガード・ローラーカバー２２を備え、その中に右ローラー軸３２２を設け、レール側面に当接しレール側面を転がる左ガード・ローラー３２を取り付け、中央本体６に、主ローラー５を覆うための主ローラーカバー４を付け、その下に主ローラー軸５１を設け、レールの脚面１０２に当接し、レール脚面１０２を転がる主ローラ５１を取り付け、移動手段は、ガード・ローラー３をレール側面１０１に当接させ、レール側面１０１に沿って転がし、主ローラー５はレールの脚面１０２に上方から当接させ、レールの脚面１０２上を転がしながら移動させ、
ＰＣ枕木接続手段は、左側板６１と右側板６２に、左側板６１と右側板６２とＰＣ枕木のアンカーの穴１４１を貫通させてボルト９を通すためのピン穴８を設け、ＰＣ枕木に取り付けたアンカーの穴１４１とビン穴８にボルト９を貫通させ、ナット９１で締め付けることで、ＰＣ枕木１１をＰＣ枕木の移動台車１に固定し吊り下げ、
ＰＣ枕木１１を移動させるときは、左レール１０Ａ、右レール１０Ｂに固定しているＰＣ枕木のアンカー１４の線バネ１２を外し、かわりに、左レール１０Ａと右レール１０Ｂに、夫々ＰＣ枕木の移動台車１Ａと右レールのＰＣ枕木の移動台車１Ｂを設置し、
ＰＣ枕木の移動台車１ＡとＰＣ枕木の移動台車１Ｂは、夫々のＰＣ枕木接続手段でＰＣ枕木を吊り下げて固定することで、ＰＣ枕木の移動台車１ＡとＰＣ枕木の移動台車１ＢはレールＡとレールＢをはさみ、ＰＣ枕木の移動台車１Ａ、ＰＣ枕木の移動台車１Ｂがレールから外れないようにし、ＰＣ枕木の移動台車１ＡとＰＣ枕木の移動台車１Ｂは、夫々のＰＣ枕木移動手段でレール脚面１０２上を転がすことでＰＣ枕木を移動し、ＰＣ枕木の配置した後、ＰＣ枕木の移動台車１からＰＣ枕木の吊り下げ固定を解除することでＰＣ枕木の移動を行えるようにしたことを特徴とする請求項１から請求項３の何れかに記載のＰＣ枕木の移動台車。
【請求項５】
レールの軌道の枕木の間に敷かれるバラストを新しいバラストに交換する道床交換であって、道床交換する範囲のレールのＰＣ枕木のアンカーの穴１４１から線バネ１２を外し、かわりに、道床交換する範囲の全ての左レールＡと右レールの全てのＰＣ枕木のアンカー１４について、ＰＣ枕木の移動台車１を設置し、ＰＣ枕木を固定して吊り下げ、ＰＣ枕木を吊り下げた状態でＰＣ枕木の移動台車１でレール脚面１０２上を移動させ、交換するバラストを含む範囲のＰＣ枕木を一箇所に集めた後、その道床交換する範囲のバラスト１５を新バラスト１５１に交換し、その後、移動させたＰＣ枕木をＰＣ枕木の移動台車で、元の位置に戻し、ＰＣ枕木とＰＣ枕木の移動台車１を分離し、ＰＣ枕木１１にアンカーの穴１４１に線バネ１２を挿入して、ＰＣ枕木とレールを固定することにより道床交換することを特徴とする請求項１〜４の何れかに記載のＰＣ枕木の移動台車１を用いた道床交換方法。
【発明の詳細な説明】
【技術分野】
【０００１】
鉄道のレールの軌道整備においてＰＣ枕木を接続し、レールに沿って移動させる枕木の移動台車に関する。
【背景技術】
【０００２】
従来、レールの軌道の枕木の間に敷かれるバラストを新しいバラストに交換する（道床交換と称する）軌道整備には、ＰＣ枕木を移動させ、ユンボなどの大型の機械が軌道内で動き易くする必要がある。このＰＣ枕木はコンクリート製で、２００Ｋｇ以上の重さであるため移動させるのに多大な労力を要する。
【０００３】
現状のレールの軌道整備でのバラスト交換方法を説明する。図７はＰＣ枕木１１を用いたレール１０の構成を示す。図７の（a）はパンドロール１３によりＰＣ枕木１１に固定されたレール１０、（ｂ）はアンカー１４の線バネ１２でレールを固定した写真、（ｃ）は線バネ１２の写真である。
図７(a)に示すように、ＰＣ枕木１１の下にバラスト１５を敷きつめる。図７（ｂ）に示すように、バラスト１５を敷きつめた線路で、ＰＣ枕木はアンカーの穴１４１に線バネ１２を嵌めることでレールに固定されている。
線バネ１２は、金属棒を図7(c)の示すような形状に折り曲げたバネ機能を有する金具である。
【０００４】
従来の道床交換方法を図５で示す。図５の（a）は、ＰＣ枕木のパンドロール１３とレール１０（左レール１０Ａと右レール１０Ｂ）を固定している線バネ１２を取り外してユンボ１６を入れる前のレール、（b）はユンボ１６を入れた後の作業中の俯瞰図、（c）ユンボ１６をいれた後の作業中の側面図を示す。
【０００５】
ＰＣ枕木１１とレールを固定する線バネ１２を取り外してから、ユンボ１６が軌道内に入ってＰＣ枕木１１とＰＣ枕木１１間のバラスト１５を掘り出す。隣接するＰＣ枕木間の一枡のＰＣ枕木１１のバラスト１５の掘り出しが終わると、ユンボ１６の爪１６１でＰＣ枕木１１を、道床の底に蹴り落とし(Ｐ1)、ユンボ１６が作業し易いように既に蹴り落としたＰＣ枕木１１６、１１７の横に仮置きする。そしてユンボ１６が続いてバラスト１５を掘り出す。次に、蹴り落としたＰＣ枕木１１７をレール１０の上に乗っている専用吊上げ器１７で、一本づつ吊上げ(Ｐ２)、ＰＣ枕木を吊り下げた状態で横に移動して(Ｐ３)、ＰＣ枕木１１をレール１０の予め決められたレール１０上に配置してＰＣ枕木のアンカーの穴１４１に線バネ１２を嵌めてレール１０を固定する。
【０００６】
以上の工程を全てのＰＣ枕木について行う、その後、新しいバラスト１５１を入れて軌道整備を行ない作業が終了する。このようにＰＣ枕木１１を道床の底に落として再び上に持ち上げ、ＰＣ枕木を元にレールの位置に移動させる必要がある。ＰＣ枕木１１は重く（２００Ｋｇ以上）、それを持ち上げて移動させるのに大変な作業負担をしいられている。
【先行技術文献】
【特許文献】
【０００７】
【特許文献１】特開平７−２７９１０１公報
【発明の概要】
【発明が解決しようとする課題】
【０００８】
従来の道床交換では、ＰＣ枕木のアンカー１４とレールを固定している線バネ１２を取り外してからユンボ１６でバラスト１５を掘り出してＰＣ枕木１１を一本づつ道床の底に蹴り落とし、専用吊上げ器１７で道床の底から、一本づつ吊上げて、再び元に位置にＰＣ枕木を移動させ、ＰＣ枕木のアンカー１４とレールを線バネ１２で嵌めるので次のような課題があった。
【０００９】
１）ＰＣ枕木が重い（２００ｋｇ以上）ので、持ち上げて移動するのに作業員が２−３名必要で作業負荷は高く非効率である。専用吊上げ器等の重機を使用する必要があり作業費用が、大幅に高くなる。
２）ＰＣ枕木１１を、ユンボ１６で一本づつを蹴り落としてから、専用吊上げ器１７で吊り上げて、再びＰＣ枕木を元に位置に配置して、ＰＣ枕木１１のアンカー１４とレールを線バネ１２で嵌めて復旧するまで作業時間が長くなる。現状ではＰＣ枕木一本あたり約４〜５分以上かかる。
【課題を解決するための手段】
【００１０】
レールの軌道の枕木に間に敷かれるバラストを新しいバラストに交換する道床交換においてＰＣ枕木を移動させるためのＰＣ枕木の移動台車であって、
ＰＣ枕木の移動台車１は中央筐体６３と左側板６１、右側板６２を備えた略直方体の箱型の中央本体６を有し、左側板６１と右側板６２に、左側板６１と右側板６２とＰＣ枕木のアンカーの穴１４１を貫通させてボルト９を通すためのピン穴８を設けＰＣ枕木を吊り下げて固定するためのＰＣ枕木接続手段と、レール脚面１０２に当接させ、レール脚面１０２上を転がって移動させるローラーを備えた移動手段を備え、ＰＣ枕木１１を移動させるときは、左レール１０Ａと右レール１０Ｂを夫々固定しているＰＣ枕木のアンカー１４の線バネ１２を外し、かわりに、左レール１０Ａと右レール１０Ｂに、夫々ＰＣ枕木の移動台車１Ａと右レールのＰＣ枕木の移動台車１Ｂを設置し、ＰＣ枕木の移動台車１ＡとＰＣ枕木の移動台車１ＢのＰＣ枕木接続手段は、ＰＣ枕木を吊り下げて固定し、ＰＣ枕木の移動台車１ＡとＰＣ枕木の移動台車１ＢはレールＡとレールＢをはさみ、ＰＣ枕木の移動台車１Ａ、ＰＣ枕木の移動台車１Ｂがレールから外れないようにし、ＰＣ枕木の移動台車１ＡとＰＣ枕木の移動台車１Ｂの移動手段は、夫々左レール１０Ａと右レール１０Ｂのレール脚面１０２上を転がすことでＰＣ枕木を移動させ、ＰＣ枕木を配置した後、ＰＣ枕木の移動台車１からＰＣ枕木の吊り下げ固定を解除することでＰＣ枕木を移動させることを特徴とするＰＣ枕木の移動台車である。
【００１１】
ＰＣ枕木接続手段は、ＰＣ枕木１１のアンカーの穴１４１とＰＣ枕木の移動台車１のピン穴8にボルト９を貫通させ、ナット９１で締め付けて固定することで、ＰＣ枕木を吊り下げられるようにしたことを特徴とするＰＣ枕木の移動台車である。
【００１２】
移動手段は、レール側面１０１に当接させ、レール側面１０１に沿って転がる一つ以上のガード・ローラー３と、レールの脚面１０２に上方から当接させ、レールの脚面１０２上を転がしながら移動する一つ以上の主ローラー５を備え、ガード・ローラー３をレール側面に当接させながら、主ローラー５はレール脚面１０２上を転がして移動しえるようにしたことを特徴とするＰＣ枕木の移動台車１である。
【００１３】
ＰＣ枕木の移動台車１は、中央筐体６３と左側板６１、右側板６２を備えた略直方体の箱型の中央本体６を有し、レール脚面１０２上を移動する移動手段と、ＰＣ枕木を接続するためのＰＣ枕木接続手段を設ける。
移動手段は、中央本体６の左側板６１にガード・ローラーカバー２１を備え、その中に、左ローラー軸３１１を設け、レール側面１０１に当接しレール側面を転がる左ガード・ローラー３１を取り付け、右側板６２にガード・ローラーカバー２２を備え、その中に右ローラー軸を３２２を設け、レール側面に当接しレール側面を転がる左ガード・ローラー３２を取り付け、中央本体６に、主ローラー５を覆うための主ローラーカバー４を付け、その下に主ローラー軸５１を設け、レールの脚面１０２に当接し、レール脚面１０２を転がる主ローラ５１を取り付け、移動手段は、ガード・ローラー３をレール側面１０１に当接させ、レール側面１０１に沿って転がし、主ローラー５はレールの脚面１０２に上方から当接させ、レールの脚面１０２上を転がしながら移動させる。
ＰＣ枕木接続手段は、左側板６１と右側板６２に、左側板６１と右側板６２とＰＣ枕木のアンカーの穴１４１を貫通させてボルト９を通すためのピン穴８を設け、ＰＣ枕木に取り付けたアンカーの穴１４１とビン穴８にボルト９を貫通させ、ナット９１で締め付けることで、ＰＣ枕木１１をＰＣ枕木の移動台車１に固定し吊り下げ、ＰＣ枕木１１を移動させるときは、左レール１０Ａ、右レール１０Ｂに固定しているＰＣ枕木のアンカー１４の線バネ１２を外し、かわりに、左レール１０Ａと右レール１０Ｂに、夫々ＰＣ枕木の移動台車１Ａと右レールのＰＣ枕木の移動台車１Ｂを設置し、ＰＣ枕木の移動台車１ＡとＰＣ枕木の移動台車１Ｂは、夫々のＰＣ枕木接続手段でＰＣ枕木を吊り下げて固定することで、ＰＣ枕木の移動台車１ＡとＰＣ枕木の移動台車１ＢはレールＡとレールＢをはさみ、ＰＣ枕木の移動台車１Ａ、ＰＣ枕木の移動台車１Ｂがレールから外れないようにし、ＰＣ枕木の移動台車１ＡとＰＣ枕木の移動台車１Ｂは、夫々のＰＣ枕木移動手段でレール脚面１０２上を転がすことでＰＣ枕木を移動する。
ＰＣ枕木の配置した後、ＰＣ枕木の移動台車１からＰＣ枕木の吊り下げ固定を解除することでＰＣ枕木の移動を行えるようにしたことを特徴とするＰＣ枕木の移動台車であり。
【００１４】
レールの軌道の枕木の間に敷かれるバラストを新しいバラストに交換する道床交換であって、道床交換する範囲のレールのＰＣ枕木のアンカーの穴１４１から線バネ１２を外し、かわりに、道床交換する範囲の全ての左レールＡと右レールの全てのＰＣ枕木のアンカー１４について、ＰＣ枕木の移動台車１を設置し、ＰＣ枕木を固定して吊り下げ、ＰＣ枕木を吊り下げた状態でＰＣ枕木の移動台車１でレール脚面１０２上を移動させ、交換するバラストを含む範囲のＰＣ枕木を一箇所に集めた後、その道床交換する範囲のバラスト１５を新バラスト１５１に交換し、その後、移動させたＰＣ枕木をＰＣ枕木の移動台車で、元の位置に戻し、ＰＣ枕木とＰＣ枕木の移動台車１を分離し、ＰＣ枕木１１にアンカーの穴１４１に線バネ１２を挿入して、ＰＣ枕木とレールを固定することにより道床効果することを特徴とするＰＣ枕木の移動台車１を用いた道床交換方法である。
【発明の効果】
【００１５】
ＰＣ枕木１１を吊り下げ移動させてから、再び元に位置にＰＣ枕木を配置し、線バネ１２でアンカー１４とレール１０を嵌めるまでの時間が短くなる（１分以下）。作業時間は従来のやり方より３〜４分が短縮になる。ＰＣ枕木１１が２５本の場合、作業量として７５〜８０分短縮になる。
【図面の簡単な説明】
【００１６】
【図１】本発明のＰＣ枕木の移動台車の構成（a）上方斜視図  （b）下方斜視図
【図２】本発明のＰＣ枕木の移動台車のレールへの取り付け図
【図３】本発明のＰＣ枕木の移動台車のレールへの取り付け図（a）レールに吊り下げる前（バラストを取り出す前）（b）レールに吊り下げた状態（バラストを取り出した後）
【図４】本発明のＰＣ枕木の移動台車を使用するバラスト交換の施工方法  （a）線バネ１２を取り外してからＰＣ枕木をＰＣ枕木の移動台車１に取り付けレールに乗せた状態（b）ユンボ１６を入れてバラスト１５を掘り出している状態  ＰＣ枕木１１４、１１５、１１６、１１７をＰＣ枕木の移動台車で左側に移動させる。（c）復旧状態：ＰＣ枕木の移動台車１を外して、ＰＣ枕木のアンカー１４とレールに線バネ１２を嵌めて新しいバラスト１５１を入れた復旧状態
【図５】従来の施工方法（a）線バネ１２を取り外してユンボ１６を入る前  （b）ユンボ１６を入れた後の作業中の俯瞰図  （c）ユンボ１６をいれた後の作業中の前進方向左側の断面図
【図６】従来の専用吊り下げ器１７によりＰＣ枕木１１を持ち上げる方法
【図７】ＰＣ枕木１１を用いたレール１０の構成（a）ＰＣ枕木のアンカー１４とレールを線バネ１２で固定したレール１０  （ｂ）アンカー１４とレール１０を線バネ１２で固定した写真  （ｃ）線バネ１２の写真
【発明を実施するための形態】
【００１７】
本発明は、ＰＣ枕木１１を落とす事無く吊上げる事も無くＰＣ枕木を便利に移動する為のＰＣ枕木の移動台車１を提供する。本発明のＰＣ枕木の移動台車の構成と道床交換方法を図１〜図４で説明する。
【００１８】
本発明のＰＣ枕木の移動台車の構成を図１に示す。図１（a）は上方斜視図、（b）は下方斜視図を示す。
【００１９】
ＰＣ枕木の移動台車１は、中央筐体６３と左側板６１、右側板６２を備えた略直方体の箱型の中央本体６を有し、レール脚面１０２上を移動する移動手段と、ＰＣ枕木を接続するためのＰＣ枕木接続手段を設けている。
移動手段は、中央本体６の左側板６１にガード・ローラーカバー２１を備え、その中に、左ローラー軸３１１を設け、レール側面１０１に当接しレール側面を転がる左ガード・ローラー３１を取り付け、右側板６２にガード・ローラーカバー２２を備え、その中に右ローラー軸を３２２を設け、レール側面に当接しレール側面を転がる左ガード・ローラー３２を取り付け、中央本体６に、主ローラー５を覆うための主ローラーカバー４を付け、その下に主ローラー軸５１を設け、レールの脚面１０２に当接し、レール脚面１０２を転がる主ローラ５１を取り付けている。
移動手段は、ガード・ローラー３をレール側面１０１に当接させ、レール側面１０１に沿って転がし、主ローラー５はレールの脚面１０２に上方から当接させ、レールの脚面１０２上を転がしながら移動させる。
ＰＣ枕木接続手段は、左側板６１と右側板６２に、左側板６１と右側板６２とＰＣ枕木のアンカーの穴１４１を貫通させてボルト９を通すためのピン穴８を設け、ＰＣ枕木に取り付けたアンカーの穴１４１とビン穴８にボルト９を貫通させ、ナット９１で締め付けることで、ＰＣ枕木１１をＰＣ枕木の移動台車１に固定し吊り下げる。
ＰＣ枕木１１を移動させるときは、左レール１０Ａ、右レール１０Ｂに固定しているＰＣ枕木のアンカー１４の線バネ１２を外し、かわりに、左レール１０Ａと右レール１０Ｂに、夫々ＰＣ枕木の移動台車１Ａと右レールのＰＣ枕木の移動台車１Ｂを設置し、
ＰＣ枕木の移動台車１Ａ、ＰＣ枕木の移動台車１Ｂは、夫々のＰＣ枕木接続手段でＰＣ枕木を吊り下げて固定することで、ＰＣ枕木の移動台車１ＡとＰＣ枕木の移動台車１ＢはレールＡとレールＢをはさみ、ＰＣ枕木の移動台車１Ａ、ＰＣ枕木の移動台車１Ｂがレールから外れないようにし、ＰＣ枕木の移動台車１ＡとＰＣ枕木の移動台車１Ｂは、夫々のＰＣ枕木移動手段でレール脚面１０２上を転がすことでＰＣ枕木を移動し、
ＰＣ枕木の配置した後、ＰＣ枕木の移動台車１からＰＣ枕木の吊り下げ固定を解除することでＰＣ枕木の移動を行えるようにする。
【００２０】
本発明のＰＣ枕木１１の移動台車１のレールへの取り付け方法を図２に示す。本発明のＰＣ枕木の移動台車１は、ＰＣ枕木の移動台車１のピン穴８とＰＣ枕木のアンカー１４にボルト９を挿入してナット９１で締め付けてＰＣ枕木を固定し吊り下げている。レール側面１０１に２つのガード・ローラー３（左ガード・ローラー３１と右ガード・ローラー３２）を当接し、レール脚面１０２に主ローラー５１を当接して、レール側面１０２とレール脚面１０２に沿って転がる事が出来き、これによりＰＣ枕木１を容易にレール脚面１０２の任意に位置に移動し配置できる。
【００２１】
本発明のＰＣ枕木１１の移動台車１のレールへの取り付け方法を図３に示す。
左レールにＰＣ枕木の移動台車１Ａ、右レールにＰＣ枕木の移動台車１Ｂを取り付ける。ＰＣ枕木の移動台車１Ａ、ＰＣ枕木の移動台車１Ｂは、ＰＣ枕木の外側のアンカー１４（レールの内側のアンカー１４は使用しない）に固定し吊り下げる。すなわち、ＰＣ枕木の移動台車１を２台、左レール１０Ａと右レール１０Ｂの両方に取り付ける。
ＰＣ枕木を接続するためのＰＣ枕木接続手段としてＰＣ枕木の移動台車１のピン穴８と、ＰＣ枕木のアンカーの穴１４１にボルト９を通し、ナット９１でとめて、ＰＣ枕木１０とＰＣ枕木の移動台車1を固定する。
アンカーの穴１４１とピン穴８をボルト９でＰＣ枕木の移動台車１の左右どちらからでも貫通でき、左利きと右利きの作業員が容易にＰＣ枕木１１のアンカー１４と固定できる。
ＰＣ枕木の移動台車１Ａ、ＰＣ枕木の移動台車１Ｂ、それたに固定されたＰＣ枕木により、ＰＣ枕木の移動台車１Ａ、ＰＣ枕木の移動台車１Ｂは左レールＡと右レールＢを夫々はさむのでＰＣ枕木の移動台車１Ａ、ＰＣ枕木の移動台車１Ｂはレール１０から外れなく、ＰＣ枕木の重みで、左レールの脚面１０２と、右レールの脚面１０２に当接し、転がることができる。
図３（a）は、レールに吊り下げる前（バラストを取り出す前）の状態で、ＰＣ枕木１１を吊り下げる前にレール側面１０１に、左ガードー・ローラー３１と、右ガードー・ローラー３２からなるガードー・ローラー３を当接させている。
図３（b）はＰＣ枕木をレールに吊り下げた状態（バラストを取り出した後）で、ＰＣ枕木１１を吊り下げてからレール脚面１０２に主ローラー５を当接させると、右ガード・ローラー３１と左ガード・ローラー３２がレール側面、主ローラー５がレール脚面１０２に沿って転がして移動する。
【００２２】
本発明のＰＣ枕木の移動台車１を使用する施工方法を図４で示す。
図４の（a）は、ＰＣ枕木のアンカー１４から線バネ１２を取り外し、ＰＣ枕木の移動台車１に取り付けレール１０に乗せた状態である。道床交換をする為に、アンカー１４の線バネ１２を取り外し、かわりに、アンカー１４とＰＣ枕木の移動台車１を、ＰＣ枕木の移動台車１の左側板６１と右側板６２のピン穴８と、アンカーの穴１４１にボルト９を貫通させて、ナット９１で締めて取り付ける。
【００２３】
図４（b）はユンボ１６を入れてバラスト１５を掘り出している状態である。ユンボ１６を入れてバラスト１５を掘り出し、ＰＣ枕木１１４、１１５、１１６、１１７がＰＣ枕木の移動台車で左側に移動させている。ユンボ１６が作業区間内に入り、バラスト１５を掘り出して、ＰＣ枕木１１をＰＣ枕木の移動台車１で吊り下げて、ユンボの爪１６１で押してＰＣ枕木１１を移動させて一箇所に集める。ＰＣ枕木が取り除かれるのでユンボ１６が作業区間内にはいって、バラスト１５の交換を行うことができる。バラス１５の交換が終了すると、ＰＣ枕木の移動台車１をレール脚面１０２上を転がして、ＰＣ枕木１１の元の位置まで戻し、固定して吊り下げていたＰＣ枕木１１を元の位置に配置する。
【００２４】
図４（c）はＰＣ枕木の移動台車１を外してＰＣ枕木のアンカー１４とレール１０を線バネ１２で嵌めて新しいバラスト１５１を入れた復旧状態である。ＰＣ枕木を吊り下げたＰＣ枕木の移動台車１を外し、アンカー１４とレール１０を線バネ１２で固定することで復旧作業は終了する。
【００２５】
このように、本発明のＰＣ枕木の移動台車１は、道床交換する時は、ＰＣ枕木とレールに嵌めた線バネ１２を取り外して、ＰＣ枕木のアンカー１４とＰＣ枕木の移動台車１の左側板６１と右側板６２のピン穴８にボルト９を貫通させてナット９１で締める。引き続いてユンボ１６でバラスト１５を堀り出し、本発明のＰＣ枕木の移動台車１でＰＣ枕木１１を固定し吊り下げたら、ガード・ローラー３は、レール側面１０１に、主ローラー５はレール脚面１０２に当接し、ユンボの爪１６１でＰＣ枕木の移動台車１を押すとレール脚面上を転がって移動でき、ＰＣ枕木の移動、再配置を簡単に行うことができる。
【産業上の利用可能性】
【００２６】
鉄道のレールの軌道保守において、バラストを交換するときに必要なＰＣ枕木の移動を、効率、低コストで実現するためのＰＣ枕木の移動台車を提供する。
【符号の説明】
【００２７】
１    ＰＣ枕木の移動台車
１Ａ  左レールのＰＣ枕木の移動台車
１Ｂ  右レールのＰＣ枕木の移動台車
２  ガード・ローラーカバー
２１  左ガード・ローラーカバー
２２  右ガード・ローラーカバー
３  ガード・ローラー
３１  左ガード・ローラー
３１１  左ローラー軸
３２  右ガード・ローラー
３２２  右ローラー軸
４  主ローラーカバー
５  主ローラー
５１  主ローラー軸  
６  中央本体
６１  左側板
６２  右側板
６３  中央筐体
７  取手
８  ピン穴
８１  左ピン穴
８２  右ピン穴
９  ボルト
９１ナット
１０  レール
１０Ａ  左レール
１０Ｂ  右レール
１０１  レール側面
１０２  レール脚面
１１  ＰＣ枕木
１１１〜１１７  ＰＣ枕木
１２  線バネ  
１３  パンドロール
１４  アンカー
１４１  アンカーの穴
１５  バラスト
１５１  新バラスト 
１６  ユンボ  
１６１  ユンボの爪
１７  専用吊上げ器
【図２】
2012036598.tif 000003
【図３】
2012036598.tif 000004
【図６】
2012036598.tif 000005
【図１】
2012036598.tif 000006
【図４】
2012036598.tif 000007
【図５】
2012036598.tif 000008
【図７】
2012036598.tif 000009
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
レールの軌道の枕木に間に敷かれるバラストを新しいバラストに交換する道床交換においてＰＣ枕木を移動させるためのＰＣ枕木の移動台車であって、ＰＣ枕木の移動台車１は中央筐体６３と左側板６１、右側板６２を備えた略直方体の箱型の中央本体６を有し、左側板６１と右側板６２に、左側板６１と右側板６２とＰＣ枕木のアンカーの穴１４１を貫通させてボルト９を通すためのピン穴８を設け、そのピン穴８を用いてＰＣ枕木を吊り下げて固定するためのＰＣ枕木接続手段と、レール脚面１０２に当接させ、レール脚面１０２上を転がって移動させるローラーを備えた移動手段を備え、
ＰＣ枕木１１を移動させるときは、二つのＰＣ枕木の移動台車１Ａと右レールのＰＣ枕木の移動台車１Ｂにより、レールから外れないように、レールＡとレールＢをはさみ、夫々のＰＣ枕木接続手段でＰＣ枕木１１を固定することによりＰＣ枕木を移動できるようにしたことを特徴とするＰＣ枕木の移動台車。
【請求項２】
ＰＣ枕木接続手段は、ＰＣ枕木１１のアンカーの穴１４１とＰＣ枕木の移動台車１のピン穴８にボルト９を貫通させ、ナット９１で締め付けて固定することで、ＰＣ枕木を吊り下げられるようにしたことを特徴とする請求項１記載のＰＣ枕木の移動台車。
【請求項３】
移動手段は、レール側面１０１に当接させ、レール側面１０１に沿って転がる一つ以上のガード・ローラー３と、レールの脚面１０２に上方から当接させ、レールの脚面１０２上を転がしながら移動する一つ以上の主ローラー５を備え、ガード・ローラー３をレール側面に当接させながら、主ローラー５はレール脚面１０２上を転がして移動しえるようにしたことを特徴とする請求項１又は請求項２に記載のＰＣ枕木の移動台車。
【請求項４】
ＰＣ枕木の移動台車１は、中央筐体６３と左側板６１、右側板６２を備えた略直方体の箱型の中央本体６を有し、レール脚面１０２上を移動する移動手段と、ＰＣ枕木を接続するためのＰＣ枕木接続手段を設け、移動手段は、中央本体６の左側板６１にガード・ローラーカバー２１を備え、その中に、左ローラー軸３１１を設け、レール側面１０１に当接しレール側面を転がる左ガード・ローラー３１を取り付け、右側板６２にガード・ローラーカバー２２を備え、その中に右ローラー軸３２２を設け、レール側面に当接しレール側面を転がる左ガード・ローラー３２を取り付け、中央本体６に、主ローラー５を覆うための主ローラーカバー４を付け、その下に主ローラー軸５１を設け、レールの脚面１０２に当接し、レール脚面１０２を転がる主ローラー５１を取り付け、
移動手段において、ガード・ローラー３はレール側面１０１に当接させて、レール側面１０１に沿って転がり、主ローラー５はレールの脚面１０２に上方から当接させ、レールの脚面１０２上を転がるように構成され、
ＰＣ枕木接続手段は、左側板６１と右側板６２に、左側板６１と右側板６２とＰＣ枕木のアンカーの穴１４１を貫通させてボルト９を通すためのピン穴８を設け、ＰＣ枕木に取り付けたアンカーの穴１４１とビン穴８にボルト９を貫通させ、ナット９１で締め付けることで、ＰＣ枕木１１をＰＣ枕木の移動台車１に固定し吊り下げできように構成することにより、ＰＣ枕木を移動できるようにしたことを特徴とする請求項１から請求項３の何れかに記載のＰＣ枕木の移動台車。
【請求項５】
レールの軌道の枕木の間に敷かれるバラストを新しいバラストに交換する道床交換であって、道床交換する範囲のレールのＰＣ枕木のアンカーの穴１４１から線バネ１２を外し、かわりに、道床交換する範囲の全ての左レールＡと右レールの全てのＰＣ枕木のアンカー１４について、ＰＣ枕木の移動台車１を設置し、ＰＣ枕木を固定して吊り下げ、ＰＣ枕木を吊り下げた状態でＰＣ枕木の移動台車１でレール脚面１０２上を移動させ、交換するバラストを含む範囲のＰＣ枕木を一箇所に集めた後、その道床交換する範囲のバラスト１５を新バラスト１５１に交換し、その後、移動させたＰＣ枕木をＰＣ枕木の移動台車で、元の位置に戻し、ＰＣ枕木とＰＣ枕木の移動台車１を分離し、ＰＣ枕木１１にアンカーの穴１４１に線バネ１２を挿入して、ＰＣ枕木とレールを固定することにより道床交換することを特徴とする請求項１〜４の何れかに記載のＰＣ枕木の移動台車１を用いた道床交換方法。